(57)【要約】【課題】エレベータのロープ巻掛け作業を容易にする。【解決手段】ロープ巻掛け方法は、エレベータの複数本のロープ３０をシーブ４０に同時に巻き掛ける方法であって、ベルト掛回し工程、仮止め工程、連結工程、および、引抜き工程を有している。ベルト掛回し工程は、掛回しベルト５０をシーブ４０に掛け回す工程である。仮止め工程は、複数本のロープ３０の一端を平面的に並列した状態で着脱可能に保持するロープ保持部６４を備えた仮止め具６０を用いて、複数本のロープ３０の一端を平面的に並列した状態で保持する工程である。連結工程は、ベルト掛回し工程および仮止め工程後に、掛回しベルト５０と仮止め具６０とを連結する工程である。引抜き工程は、連結工程後に掛回しベルト５０をシーブ４０から引き抜いて複数本のロープ３０をシーブ４０に巻き掛ける工程である。【選択図】図３
2011131983.tif 000002
【特許請求の範囲】
【請求項１】
エレベータの乗りかごと釣合いおもりとを繋ぐ複数本のロープをシーブに同時に巻き掛けるロープ巻掛け方法であって、
一端に第１連結手段を備えた掛回しベルトを前記シーブに掛け回すベルト掛回し工程と、
前記第１連結手段に着脱可能に連結される第２連結手段および前記複数本のロープの一端を平面的に並列配置した状態で着脱可能に保持するロープ保持手段を備えた仮止め具を用いて前記複数本のロープの一端を平面的に並列配置した状態で保持する仮止め工程と、
前記ベルト掛回し工程および前記仮止め工程の後に、前記第１連結手段と前記第２連結手段とを連結する連結工程と、
前記連結工程後に前記掛回しベルトを前記シーブから引き抜いて前記複数本のロープを前記シーブに巻き掛ける引抜き工程と、
を具備したことを特徴とするロープ巻掛け方法。
【請求項２】
前記引抜き工程後に前記第１連結手段と前記第２連結手段との連結を解除する連結解除工程と、
前記引抜き工程後に前記複数本のロープの一端から前記仮止め具を取り外す取外し工程と、
を具備したことを特徴とする請求項１に記載のロープ巻掛け方法。
【請求項３】
前記掛回しベルトは、前記第１連結手段とは反対側の一端に前記第１連結手段に着脱可能に連結される第３連結手段を備えていて、前記ベルト掛回し工程において、前記掛回しベルトを前記シーブに掛け回した後に前記第１連結手段と前記第３連結手段とを連結することを特徴とする請求項１または２に記載のロープ巻掛け方法。
【請求項４】
前記仮止め具は、各前記ロープの一端を着脱可能に取り付けられる複数のロープ端取付部同士が平面的に並列配置された状態で結合されることにより構成されていて、
前記仮止め工程は、
前記各ロープの一端に前記ロープ端取付部に取り付ける取付け工程と、
前記複数のロープ端取付部同士を平面的に並列配置された状態で結合させる結合工程と、
を具備したことを特徴とする請求項１ないし３のいずれか一項に記載のロープ巻掛け方法。
【請求項５】
前記シーブには平面的に並列した前記複数本のロープに対応した複数本のガイド溝が形成されていて、前記掛回しベルトには前記複数本のガイド溝の少なくとも１つに対応して延びた隆起部が形成されていて、前記掛回し工程において前記隆起部が前記ガイド溝にガイドされるように前記掛回しベルトを前記シーブに掛け回すことを特徴とする請求項１ないし４のいずれか一項に記載のロープ巻掛け方法。
【請求項６】
前記第１連結手段と前記第２連結手段とは、フックが嵌合孔に引っ掛かることにより着脱可能に連結されることを特徴とする請求項１ないし５のいずれか一項に記載のロープ巻掛け方法。
【請求項７】
前記第１連結手段と前記第２連結手段とは、ダブテール部がダブテール溝に嵌め合うことにより着脱可能に連結されることを特徴とする請求項１ないし５のいずれか一項に記載のロープ巻掛け方法。
【請求項８】
前記ロープ保持手段は、ロープ載置部およびロープ押さえ部を備えていて、前記ロープ載置部と前記ロープ押さえ部とにより前記複数本のロープを狭持することにより前記複数本のロープの一端を着脱可能に保持することを特徴とする請求項１ないし７のいずれか一項に記載のロープ巻掛け方法。
【請求項９】
前記ロープ保持手段には、平面的に並列配置された複数のロープ保持孔が形成されていて、前記ロープ保持手段は、前記複数本のロープが前記複数のロープ保持孔に挿入されることにより前記複数本のロープの一端を着脱可能に保持することを特徴とする請求項１ないし７のいずれか一項に記載のロープ巻掛け方法。
【請求項１０】
前記ロープ保持手段は、平面的に並列配置された複数のロープ保持円筒を備えていて、前記ロープ保持円筒の筒内に挿入された前記複数本のロープを締め付けることにより前記複数本のロープの一端を着脱可能に保持することを特徴とする請求項１ないし７のいずれか一項に記載のロープ巻掛け方法。
【発明の詳細な説明】
【技術分野】
【０００１】
本発明は、エレベータの乗りかごと釣合いおもりとを繋ぐ複数本のロープをシーブに同時に巻き掛けるロープ巻掛け方法に関する。
【背景技術】
【０００２】
エレベータは、図１８に示したように、一端に乗りかご１０が吊り下げられて、他端に釣合いおもり１２が吊り下げられた複数本のロープ３０がシーブ４０に巻き掛けられて構成されている。乗りかご１０および釣合いおもり１２は、昇降路１４内に昇降可能に設置されている。昇降路１４の上部には、機械室１６が設けられていて、機械室１６内には、巻上機や制御盤２２が設置されている（特許文献１を参照。）。
【０００３】
巻上機は、シーブ（溝車）４０を備えていて、複数本のロープ３０は、シーブ４０に巻き掛けられている。巻上機が駆動してシーブ４０が回転すると、シーブ４０とロープ３０との摩擦によって、ロープ４０が移動して、乗りかご１０および釣合いおもり１２は、昇降路１４内を昇降する。
【０００４】
ここで、エレベータの据え付け時、あるいは、ロープ３０の交換時において、複数本のロープ３０を１本ずつシーブ４０に巻き掛けると、ロープ巻掛け作業を複数回繰り返さなければならず、ロープ巻掛け作業に長時間を要する。そこで、ロープ掛け装置を用いて、平面的に並列配置された複数本のロープ３０の一端を狭持して、このロープ掛け装置をシーブ４０に掛け回すことによって、複数本のロープ３０を同時にシーブ４０に巻き掛けることができる（特許文献２を参照）。
【先行技術文献】
【特許文献】
【０００５】
【特許文献１】特開平１０−１９４６２８号公報
【特許文献２】特開２００５−２９８０８４号公報
【発明の概要】
【発明が解決しようとする課題】
【０００６】
近年、省スペース化のため、機械室１６が設けられていないエレベータ、若しくは、機械室１６の狭いエレベータが多く設置されている。このようなエレベータでは、エレベータの据え付け時、あるいは、ロープ３０の交換時に行われるロープ巻掛け作業において、十分な作業スペースが確保できないため、その作業が困難となってしまう。
【０００７】
その上、上述のように、ロープ掛け装置を用いて複数本のロープ３０を同時にシーブ４０に掛け回す場合には、その重量が大きいため、その作業はさらに困難となってしまう。
【０００８】
そこで、本発明は、上述の課題を解決するためになされたものであり、エレベータのロープ巻掛け作業を容易にすることを目的とする。
【課題を解決するための手段】
【０００９】
上記の目的を達成するために、本発明に係るロープ巻掛け方法は、エレベータの乗りかごと釣合いおもりとを繋ぐ複数本のロープをシーブに同時に巻き掛けるロープ巻掛け方法であって、一端に第１連結手段を備えた掛回しベルトを前記シーブに掛け回すベルト掛回し工程と、前記第１連結手段に着脱可能に連結される第２連結手段および前記複数本のロープの一端を平面的に並列配置した状態で着脱可能に保持するロープ保持手段を備えた仮止め具を用いて前記複数本のロープの一端を平面的に並列配置した状態で保持する仮止め工程と、前記ベルト掛回し工程および前記仮止め工程後に、前記第１連結手段と前記第２連結手段とを連結する連結工程と、前記連結工程後に前記掛回しベルトを前記シーブから引き抜いて前記複数本のロープを前記シーブに巻き掛ける引抜き工程と、を具備したことを特徴とする。
【発明の効果】
【００１０】
本発明によれば、エレベータのロープ巻掛け作業を容易にすることができる。
【図面の簡単な説明】
【００１１】
【図１】本発明の第１の実施形態に係るロープ巻掛け方法を説明するための図であって、ロープの交換中のエレベータの構成を示した概略図である。
【図２】本発明の第１の実施形態に係るロープ巻掛け方法を説明するための図であって、巻上機のシーブにロープが巻き掛けられた状態を示した概略図である。
【図３】本発明の第１の実施形態に係るロープ巻掛け方法のフローチャートである。
【図４】本発明の第１の実施形態に係るロープ巻掛け方法を説明するための図であって、掛回しベルトを示した斜視図である。
【図５】本発明の第１の実施形態に係るロープ巻掛け方法を説明するための図であって、掛回しベルトをシーブに掛け回した状態を示した概略図である。
【図６】本発明の第１の実施形態に係るロープ巻掛け方法を説明するための図であって、分解した状態の仮止め具を示した斜視図である。
【図７】本発明の第１の実施形態に係るロープ巻掛け方法を説明するための図であって、仮止め具により複数本のロープの一端を保持した状態を示した斜視図である。
【図８】本発明の第１の実施形態に係るロープ巻掛け方法を説明するための図であって、掛回しベルトと仮止め具とを連結した状態を示した概略図である。
【図９】本発明の第１の実施形態に係るロープ巻掛け方法を説明するための図であって、掛回しベルトを引き抜いた状態を示した概略図である。
【図１０】本発明の第２の実施形態に係るロープ巻掛け方法を説明するための図であって、掛回しベルトを示した斜視図である。
【図１１】本発明の第２の実施形態に係るロープ巻掛け方法を説明するための図であって、掛回しベルトをシーブに掛け回した状態を示した概略図である。
【図１２】本発明の第３の実施形態に係るロープ巻掛け方法を説明するための図であって、掛回しベルトを示した概略図である。
【図１３】本発明の第３の実施形態に係るロープ巻掛け方法を説明するための図であって、分解した状態の仮止め具を示した斜視図である。
【図１４】本発明の第３の実施形態に係るロープ巻掛け方法を説明するための図であって、仮止め具により複数本のロープの一端を保持した状態を示した斜視図である。
【図１５】本発明の第４の実施形態に係るロープ巻掛け方法を説明するための図であって、仮止め具を示した斜視図である。
【図１６】本発明の第５の実施形態に係るロープ巻掛け方法を説明するための図であって、仮止め具を示した斜視図である。
【図１７】本発明の第６の実施形態に係るロープ巻掛け方法を説明するための図であって、掛回しベルトと仮止め具とを連結した状態を示した斜視図である。
【図１８】エレベータの構成を示した概略図である。
【発明を実施するための形態】
【００１２】
［第１の実施形態］
本発明に係るロープ巻掛け方法の第１の実施形態について、図１ないし図９を用いて説明する。本実施形態に係るロープ巻掛け方法は、エレベータの乗りかご１０と釣合いおもり１２とを連結する複数本のロープ３０をシーブ４０に同時に巻き掛ける方法である。
【００１３】
まず、エレベータの構成について、図１および図２を用いて説明する。図１は、ロープの交換中のエレベータの構成を示した概略図である。図２は、巻上機のシーブにロープが巻き掛けられた状態を示した概略図である（２本のロープのみを図示した。）。
【００１４】
エレベータは、一端に乗りかご１０が吊り下げられて、他端に釣合いおもり１２が吊り下げられた複数本のロープ３０がシーブ４０に巻き掛けられて構成されている。乗りかご１０および釣合いおもり１２は、昇降路１４内に昇降可能に設置されている。本実施形態で説明するエレベータには、機械室が設けられておらず、昇降路１４の上部に巻上機１８が設置されている。省スペース化のため、巻上機１８と昇降路１４の天井１４ａとの隙間は、最小限に抑えられている。なお、制御盤２２は、昇降路１４の外部に設けられている。
【００１５】
巻上機１８は、シーブ４０を備えていて、シーブ４０には、幅方向に配列されて周方向に沿って延びた、複数本（例えば、６本）のガイド溝４２が形成されている。複数本（例えば、６本）のロープ３０は、それぞれシーブ４０の複数本のガイド溝４２に嵌め合った状態で巻き掛けられている。巻上機１８のモータ２０が駆動してシーブ４０が回転すると、シーブ４０とロープ３０との摩擦によって、ロープ４０が移動して、乗りかご１０および釣合いおもり１２は、昇降路１４内を昇降する。
【００１６】
次に、エレベータのロープ３０の交換手順について、図１を用いて簡単に説明する。
【００１７】
まず、乗りかご１０を最上階へ移動させて、おもり支持木材２４を介して、釣合いおもり１２をピット床１４ｂ上に載置する。その後、チェーンブロック２６を用いて、乗りかご１０を吊り上げ、ロープ３０に掛かる負荷を取り除く（図１に示した状態）。この状態で、複数本のロープ３０を乗りかご１０および釣合いおもり１２から切り離して、シーブ４０から取り外す。
【００１８】
古いロープ３０を取り外した後、新しい複数本のロープ３０をシーブ４０に巻き掛け、その後、ロープ３０の一端には、乗りかご１０を接続して、ロープ３０の他端には、釣合いおもり１２を接続する。この作業によって、ロープ３０の交換が行われる。
【００１９】
次に、ロープ巻掛け方法について、図３ないし図９を用いて説明する。図３は、本実施形態に係るロープ巻掛け方法のフローチャートである。
【００２０】
本実施形態に係るロープ巻掛け方法は、上述したロープ３０の交換手順の中の新しい複数本のロープ３０をシーブ４０に巻き掛ける方法である。ロープ巻掛け方法は、図３に示したように、ベルト掛回し工程（Ｓ１）、仮止め工程（Ｓ２）、連結工程（Ｓ３）、引抜き工程（Ｓ４）、連結解除工程（Ｓ５）、および、取外し工程（Ｓ６）を有している。
【００２１】
（ベルト掛回し工程（Ｓ１））
ベルト掛回し工程（Ｓ１）について、図４および図５を用いて説明する。図４は、掛回しベルトを示した斜視図である。図５は、掛回しベルトをシーブに掛け回した状態を示した概略図である。ベルト掛回し工程（Ｓ１）は、掛回しベルト５０をシーブ４０に掛け回す工程である。
【００２２】
掛回しベルト５０は、図４に示したように、ベルト部５２、第１連結部５４（第１連結手段の一例）、および、引抜き部５６を有している。
【００２３】
ベルト部５２は、シーブ４０に掛け回される部分であり、例えば、帯状に成型された可撓性の樹脂からなる。ベルト部５２の一方の表面には、シーブ４０のガイド溝４２に対応して延びた隆起部５２ａが形成されている。
【００２４】
第１連結部５４は、後述する仮止め具６０の第２連結部６２に対して着脱可能に連結される部分である。第１連結部５４は、例えば、樹脂からなり、ベルト部５２の一端に設けられている。第１連結部５４には、例えば、フック５４ａが形成されている。
【００２５】
引抜き部５６は、作業者がシーブ４０から掛回しベルト５０を引き抜く際に把持する部分である。引抜き部５６は、例えば、樹脂からなり、ベルト部５２の他端（第１連結部５４とは反対側の端部）に設けられている。引抜き部５６には、取っ手５６ａが設けられている。
【００２６】
ベルト掛回し工程（Ｓ１）では、作業者は、図５に示したように、掛回しベルト５０をシーブ４０に掛け回す。この際、ベルト部５２の隆起部５２ａがシーブ４０のガイド溝４２にガイドされるように掛け回す。
【００２７】
（仮止め工程（Ｓ２））
仮止め工程（Ｓ２）について、図６および図７を用いて説明する。図６は、分解した状態の仮止め具を示した斜視図である。図７は、仮止め具により複数本のロープの一端を保持した状態を示した斜視図である。仮止め工程（Ｓ２）は、仮止め具６０を用いて複数本のロープ３０の一端を平面的に並列配置した状態で保持する工程である。
【００２８】
仮止め具６０は、図６に示したように、第２連結部６２（第２連結手段の一例）およびロープ保持部６４（ロープ保持手段の一例）を有している。
【００２９】
第２連結部６２は、掛回しベルト５０の第１連結部５２に対して着脱可能に連結される部分である。第２連結部６２は、例えば、樹脂からなる。第２連結部６２には、連結口６２ａが形成されていて、この連結口６２ａに第１連結部５２が挿嵌されて、第１連結部５２と第２連結部６２とが連結される。第２連結部６２には、第１連結部５４のフック５４ａが引っ掛かる嵌合孔６２ｂが形成されている。
【００３０】
ロープ保持部６４は、複数本のロープ３０の一端を平面的に並列配置した状態で着脱可能に保持する部分である。本実施形態においては、ロープ保持部６４は、ロープ載置部６６とロープ押さえ部６８とが互いに重なり合って構成されている。
【００３１】
ロープ載置部６６の対向面およびロープ押さえ部６８の対向面には、それぞれ対応した位置に並列配置された複数本（例えば、６本）のロープ狭持溝６６ａ，６８ａが形成されている。複数本のロープ狭持溝６６ａ，６８ａは、シーブ４０に形成された複数本のガイド溝４２に対応した位置に形成されている。
【００３２】
また、ロープ載置部６６およびロープ押さえ部６８には、それぞれ対応した位置に締結孔６６ｂ，６８ｂが形成されている。
【００３３】
仮止め工程（Ｓ２）では、作業者は、複数本のロープ３０の一端をロープ載置部６６のロープ狭持溝６６ａに沿って載せる。そうすると、複数本のロープ３０の一端は、平面的に並列配置される。その後、ロープ載置部６６上にロープ押さえ部６８を重ねて、締結孔６６ｂ，６８ｂにボルト７０を挿入して、ロープ載置部６６とロープ押さえ部６８とを締結する。この作業によって、複数本のロープ３０の一端は、図７に示したように、平面的に並列配置した状態で狭持される。
【００３４】
（連結工程（Ｓ３））
連結工程（Ｓ３）について、図８を用いて説明する。図８は、掛回しベルトと仮止め具とを連結した状態を示した概略図である。連結工程（Ｓ３）は、第１連結部５４と第２連結部６２とを連結する工程である。
【００３５】
上述したとおり、第１連結部５４および第２連結部６２は、互いに着脱可能に連結されるように構成されている。作業者は、ベルト掛回し工程（Ｓ１）および仮止め工程（Ｓ２）後に、図８に示したように、シーブ４０に掛け回された掛回しベルト５０の第１連結部５４に対して、仮止め具６０の第２連結部６２を連結する。
【００３６】
（引抜き工程（Ｓ４））
引抜き工程（Ｓ４）について、図９を用いて説明する。図９は、掛回しベルトを引き抜いた状態を示した概略図である。引抜き工程（Ｓ４）は、掛回しベルト５０をシーブ４０から引き抜いて、複数本のロープ３０をシーブ４０に巻き掛ける工程である。
【００３７】
作業者は、連結工程（Ｓ３）後に、掛回しベルト５０の取っ手５６ａを把持して、掛回しベルト５０を引き抜く。そうすると、図９に示したように、掛回しベルト５０に代わって、複数本のロープ３０が掛回しベルト５０に巻き掛けられる。
【００３８】
なお、ベルト部５２の隆起部５２ａがシーブ４０のガイド溝４２にガイドされているため、掛回しベルト５０をシーブ４０に周方向に沿って真っ直ぐに引き抜くことできる。その結果、複数本のロープ３０を対応する複数本のガイド溝４２に嵌め合わせることができる。
【００３９】
（連結解除工程（Ｓ５）および取外し工程（Ｓ６））
引抜き工程（Ｓ４）により、複数本のロープ３０を所定の位置まで引き抜いた後、第１連結部５４と第２連結部６２との連結を解除する（Ｓ５）。その後、複数本のロープ３０の一端から仮止め具６０を取り外す（Ｓ６）。
【００４０】
本実施形態に係るロープ巻掛け方法の効果について説明する。
【００４１】
本実施形態では、仮止め具６０を用いることによって、複数本のロープ３０を同時にシーブ４０に巻き掛けることができる。その上、仮止め具６０により、複数本のロープ３０の一端を平面的に並列配置した状態で保持するため、ロープ巻掛け作業中に、複数本のロープ３０が互いに交差することを抑制できる。そのため、エレベータのロープ巻掛け作業が容易になる。
【００４２】
また、予めシーブ４０に掛け回された掛回しベルト５０に対して、複数本のロープ３０の一端を保持した仮止め具６０を連結して、掛回しベルト５０をシーブ４０から引き抜くため、ロープ巻掛け作業が容易になる。エレベータの省スペース化のために、巻上機１８と昇降路１４の天井１４ａとの隙間が狭い場合において、重量の大きい複数本のロープ３０の一端をシーブ４０に掛け回す作業は、従来は重労働となっていたが、本実施形態では、重量の小さい掛回しベルト５０を予めシーブ４０に掛け回すため、ロープ巻掛け作業が容易になる。
【００４３】
［第２の実施形態］
本発明に係るロープ巻掛け方法の第２の実施形態について、図１０および図１１を用いて説明する。図１０は、掛回しベルトを示した斜視図である。図１１は、掛回しベルトがシーブに掛け回された状態を示した概略図である。なお、本実施形態は、第１の実施形態の変形例であるため、重複部分には同一符号を付してその部分の構成の説明を省略する。
【００４４】
本実施形態で用いる掛回しベルト５０について説明する。掛回しベルト５０は、図１０に示したように、ベルト部５２、第１連結部５４（第１連結手段の一例）、および、第３連結部５８（第３連結手段の一例）を有している。
【００４５】
第３連結部５８は、第１連結部５４に対して着脱可能に連結される部分である。第３連結部５８は、仮止め具６０の第２連結部６２と同様の構成となっていて、ベルト部５２の端部（第１連結部５４とは反対側の端部）に設けられている。第３連結部５８には、連結口５８ａが形成されていて、この連結口５８ａに第１連結部５２が挿嵌されて、第１連結部５２と第３連結部５８とが連結される。第３連結部５８には、第１連結部５４のフック５４ａが引っ掛かる嵌合孔５８ｂが形成されている。
【００４６】
ベルト掛回し工程（Ｓ１）では、作業者は、掛回しベルト５０をシーブ４０に掛け回した後、図１１に示したように、第１連結部５４と第３連結部５８とを連結する。その後、連結工程（Ｓ３）にて、第１連結部５４と第３連結部５８との連結を解除した後、第１連結部５４と第２連結部６２とを連結する。
【００４７】
本実施形態によれば、連結工程（Ｓ３）の前に掛回しベルト５０がシーブ４０から抜け落ちてしまうことがなく、ロープ掛回し作業を円滑に進めることができる。なお、本実施形態に係るロープ巻掛け方法をエレベータの据え付け時に用いる場合には、シーブ４０を巻上機１８に取り付ける前に、予め掛回しベルト５０をシーブ４０に掛け回して、第１連結部５４と第３連結部５８とを連結しておいても良い。
【００４８】
［第３の実施形態］
本発明に係るロープ巻掛け方法の第３の実施形態について、図１２ないし図１４を用いて説明する。図１２は、掛回しベルトを示した概略図である。図１３は、分解した状態の仮止め具を示した斜視図である。図１４は、仮止め具により複数本のロープの一端を保持した状態を示した斜視図である。なお、本実施形態は、第１の実施形態の変形例であるため、重複部分には同一符号を付してその部分の構成の説明を省略する。
【００４９】
まず、本実施形態で用いる掛回しベルト５０および仮止め具６０について、図１２ないし図１４を用いて説明する。
【００５０】
第１連結部５４は、図１２に示したように、第１の実施形態において説明した仮止め具６０の第２連結部６２と同様の構成となっている。第１連結部５４には、連結口５４ｂおよび嵌合孔５４ｃが形成されている。ベルト部５２、第１連結部５４（第１連結手段の一例）、および、引抜き部５６を有している。
【００５１】
仮止め具６０は、シーブ４０に巻き掛けるロープ３０と同数（例えば、６個）のロープ端取付部７２が並列配置した状態で結合されることにより構成されている。
【００５２】
各ロープ端取付部７２には、ダブテール部７２ａおよびダブテール溝７２ｂが形成されている。図１４に示したように、複数個のロープ端取付部７２を平面的に並列配置して、ロープ端取付部７２のダブテール溝７２ｂに隣接するロープ端取付部７２のダブテール部７２ａを嵌め合わせて、ロープ端取付部７２同士を結合させると、複数本のロープ３０の一端が平面的に並列配置される。
【００５３】
両端のロープ端取付部７２には、それぞれフック７２ｃが形成されていて、このフック７２ｃが第１連結部５４の嵌合孔５４ｃに引っ掛かって、掛回しベルト５０と仮止め具６０とが着脱可能に連結される。すなわち、仮止め具６０は、第１の実施形態で説明した第２連結部６２（第２連結手段）の機能を有している。
【００５４】
各ロープ端取付部７２には、ロープ保持穴７２ｄが形成されている。ロープ端取付部７２は、ロープ３０がロープ保持穴７２ｄに挿入されると、ロープ３０を並列配置した状態で着脱可能に保持する。すなわち、仮止め具６０は、第１の実施形態で説明したロープ保持部６４（ロープ保持手段）の機能を有している。
【００５５】
なお、ロープ３０を保持するために、例えば、ロープ保持穴７２ｄの内周面には、リング状のゴムが取り付けられている。あるいは、ロープ保持穴７２ｄの内周面は、ロープ３０が容易に抜けないように、金属線が編み込まれて形成されている。
【００５６】
次に、本実施形態に係るロープ巻掛け方法について説明する。
【００５７】
本実施形態では、仮止め工程（Ｓ２）は、取付け工程および結合工程を有している。取付け工程では、作業者は、各ロープ３０の一端を各ロープ端取付部７２のロープ保持穴７２ｃに挿入して、各ロープ３０の一端に各ロープ端取付部７２を取り付ける。取付け後、結合工程において、複数個のロープ端取付部７２同士を平面的に並列配置した状態で結合させる。その後、シーブ４０に掛け回された掛回しベルト５０と仮止め具６０とを連結する（Ｓ３）。
【００５８】
次に、本実施形態に係るロープ巻掛け方法の効果について説明する。
【００５９】
本実施形態によれば、ロープ端取付部７２に対してロープ３０を１本ずつ取り付けた後、複数個のロープ端取付部７２を結合するため、仮止め工程（Ｓ２）の作業が容易になる。また、シーブ４０に巻き掛けるロープ３０の本数、あるいは、シーブ４０のガイド溝４２の本数によって、複数の種類の仮止め具６０を用意する必要がなく、使用するロープ端取付部７２の個数を変更するだけで足りる。
【００６０】
［第４の実施形態］
本発明に係るロープ巻掛け方法の第４の実施形態について、図１５を用いて説明する。図１５は、仮止め具を示した斜視図である。なお、本実施形態は、第３の実施形態の変形例であるため、重複部分には同一符号を付してその部分の構成の説明を省略する。
【００６１】
本実施形態で用いる仮止め具６０について説明する。仮止め具６０は、図１５に示したように、第２連結部６２（第２連結手段の一例）、および、ロープ保持部６４（ロープ保持手段の一例）を有している。
【００６２】
第２連結部６２には、第３の実施形態と同様に、フック７６が形成されていて、このフック７７６が掛回しベルト５０の嵌合孔５４ｃに引っ掛かって、第１連結部５４と第２連結部６２とが着脱可能に連結される。
【００６３】
ロープ保持部６４は、例えば、可撓性の樹脂を円筒形状に成型した複数本（例えば、６本）のロープ保持円筒７４が平面的に並列配置されて構成されている。ロープ保持円筒７４の内径は、ロープ３０の外径より小さく形成されていて、ロープ保持円筒７４には、断面がＣ字状になるようにスリット７４ａが形成されている。
【００６４】
仮止め工程（Ｓ２）において、作業者は、ロープ３０をスリット７４ａからロープ保持円筒７４の筒内に挿入する。そうすると、ロープ３０は、ロープ保持円筒７４に締め付けられて保持される。本実施形態によれば、仮止め工程（Ｓ２）の作業が容易になる。
【００６５】
［第５の実施形態］
本発明に係るロープ巻掛け方法の第４の実施形態について、図１６を用いて説明する。図１６は、仮止め具を示した斜視図である。なお、本実施形態は、第４の実施形態の変形例であるため、重複部分には同一符号を付してその部分の構成の説明を省略する。
【００６６】
本実施形態で用いる仮止め具６０について説明する。各ロープ保持円筒７４には、２枚のガイド板７４ｂが取り付けられている。２枚のガイド板７４ｂは、例えば、金属板からなり、それぞれスリット７４ａの２つの縁からロープ保持円筒７４の半径方向の外方に向かって広がっている。２枚のガイド板７４ｂ間の幅は、半径方向の外方に向かうにつれて大きくなっている。
【００６７】
仮止め工程（Ｓ２）において、作業者は、ロープ３０を２枚のガイド板７４ｂ間を通して、スリット７４ａからロープ保持円筒７４の筒内に挿入する。本実施形態によれば、２枚のガイド板７４ｂ間の幅は、半径方向の外方に向かうにつれて大きくなっているため、第４の実施形態に比べて、ロープ３０をロープ保持円筒７４に挿入しやすい。
【００６８】
［第６の実施形態］
本発明に係るロープ巻掛け方法の第６の実施形態について、図１７を用いて説明する。図１７は、掛回しベルトと仮止め具とを連結した状態を示した斜視図である。なお、本実施形態は、第３の実施形態の変形例であるため、重複部分には同一符号を付してその部分の構成の説明を省略する。
【００６９】
本実施形態で用いる掛回しベルト５０および仮止め具６０について説明する。本実施形態では、仮止め具６０には、ダブテール部７２ｅが形成されていて、掛回しベルト５０の第１結合部５４には、ダブテール部７２ｅが嵌合するダブテール溝５４ｄが形成されている。すなわち、ダブテール部７２ｅおよびダブテール溝５４ｄが、それぞれ第１連結手段および第２連結手段の機能を果たしている。
【００７０】
本実施形態では、連結工程（Ｓ３）において、作業者は、ダブテール部７２ｅをダブテール溝５４ｄに嵌合させることによって、シーブ４０に掛け回された掛回しベルト５０に対して仮止め具６０を連結する。
【００７１】
［他の実施形態］
第１の実施形態および第２の実施形態は単なる例示であって、本発明はこれらに限定されるものではない。
【００７２】
上記の実施形態では、巻上機１８に取り付けられたシーブ４０に複数本のロープ３０を巻き掛ける場合を例にして説明したが、本発明に係るロープ巻掛け方法は、例えば、そらせシーブや乗りかご１０に取り付けられたシーブに複数本のロープ３０を巻き掛ける場合にも用いることができる。
【００７３】
また、第１の実施形態においては、ベルト掛回し工程（Ｓ１）後に仮止め工程（Ｓ２）を行っているが、仮止め工程（Ｓ２）後にベルト掛回し工程（Ｓ１）を行っても良い。また、第１の実施形態においては、連結解除工程（Ｓ５）後に取外し工程（Ｓ６）を行っているが、取外し工程（Ｓ６）後に連結解除工程（Ｓ５）を行っても良い。
【００７４】
また、第１連結手段、第２連結手段、第３連結手段、および、ロープ保持手段は、上記の実施形態に限定されるものではない。例えば、第１連結手段、第２連結手段、および、第３連結手段として、磁石を用いても良い。
【符号の説明】
【００７５】
１０…乗りかご、１２…釣合いおもり、１４…昇降路、１４ａ…昇降路の天井、１４ｂ…ピット床、１６…機械室、１８…巻上機、２０…モータ、２２…制御盤、２４…おもり支持木材、２６…チェーンブロック、３０…ロープ、４０…シーブ、４２…ガイド溝、５０…掛回しベルト、５２…ベルト部、５２ａ…隆起部、５４…第１連結部、５４ａ…第１連結部のフック、５４ｂ…第１連結部の連結口、５４ｃ…第１連結部の嵌合孔、５４ｄ…第１連結部のダブテール溝、５６…引抜き部、５６ａ…取っ手、５８…第３連結部、５８ａ…第３連結部の連結口、５８ｂ…第３連結部の嵌合孔、６０…仮止め具、６２…第２連結部、６２ａ…第２連結部の連結口、６２ｂ…第２連結部の嵌合孔、６２ｃ…第２連結部のフック、６４…ロープ保持部、６６…ロープ載置部、６６ａ…ロープ載置部のロープ狭持溝、６６ｂ…ロープ載置部の締結孔、６８…ロープ押さえ部、６８ａ…ロープ押さえ部のロープ狭持溝、６８ｂ…ロープ押さえ部の締結孔、７０…ボルト、７２…ロープ端取付部、７２ａ…ロープ端取付部のダブテール部、７２ｂ…ロープ端取付部のダブテール溝、７２ｃ…ロープ端取付部のフック、７２ｄ…ロープ端取付部のロープ保持穴、７２ｅ…ロープ端取付部のダブテール部、７４…ロープ保持円筒、７４ａ…ロープ保持円筒のスリット、７４ｂ…ガイド板、７６…フック
【図１】
2011131983.tif 000003
【図２】
2011131983.tif 000004
【図３】
2011131983.tif 000005
【図４】
2011131983.tif 000006
【図５】
2011131983.tif 000007
【図６】
2011131983.tif 000008
【図７】
2011131983.tif 000009
【図８】
2011131983.tif 000010
【図９】
2011131983.tif 000011
【図１０】
2011131983.tif 000012
【図１１】
2011131983.tif 000013
【図１２】
2011131983.tif 000014
【図１３】
2011131983.tif 000015
【図１４】
2011131983.tif 000016
【図１５】
2011131983.tif 000017
【図１６】
2011131983.tif 000018
【図１７】
2011131983.tif 000019
【図１８】
2011131983.tif 000020